(57)【要約】【課題】台形歪補正操作を知らないユーザーが誤って台形歪補正操作を行おうとした場合に、実行前に確認させることができるプロジェクターを提供する。【解決手段】画像投写手段１０と、台形歪補正手段１５と、入力操作手段２３とを備えたプロジェクター１において、台形歪補正手段１５による台形歪補正が、所定時間行われなかった場合、次に入力操作手段２３により、台形歪補正操作を受け付けたときに、台形歪補正を行うか否かの確認画面を画像投写手段１０により投写する。【選択図】図７
2013005251.tif 000002
【特許請求の範囲】
【請求項１】
光源から射出された光を画像情報に応じて変調して投写面に投写する画像投写手段を備えたプロジェクターであって、
前記投写面に投写された投写画像の台形歪を補正するための台形歪補正手段と、
前記台形歪を補正するための補正操作キーを有する入力操作手段と、
当該プロジェクターの動作を制御する制御手段と、
を備え、
前記制御手段は、前記台形歪補正手段による台形歪補正が、所定時間行われなかった場合、次に前記入力操作手段により、台形歪補正操作を受け付けたときに、台形歪補正を行うか否かの確認画面を前記画像投写手段により投写することを特徴とする、プロジェクター。
【請求項２】
請求項１に記載のプロジェクターであって、
前記台形歪補正を行うか否かの確認画面に対し、前記台形歪補正を実行する操作を検出した場合に、前記台形歪補正を実行する、プロジェクター。
【請求項３】
光源から射出された光を画像情報に応じて変調して投写面に投写する画像投写手段と、
前記投写面に投写された投写画像の台形歪を補正するための補正操作キーを有する入力操作手段と、
を備えたプロジェクターの制御方法であって、
前記補正操作キーによる台形歪補正操作を検出する検出ステップと、
前記検出ステップにより検出された前記台形歪補正操作に基づき、台形歪補正を実行する、台形歪補正ステップと、
前記台形歪補正ステップによる台形歪補正が、所定時間行われなかった場合、次に前記台形歪補正操作を受け付けたときに、台形歪補正を行うか否かの確認画面を前記画像投写手段により投写する、台形歪補正確認ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
画像をスクリーン等の投写面に投写するプロジェクターにおいて、投写面に対してプロジェクターを傾けた状態で画像を投写した場合には、投写面に表示される画像が台形状に歪む現象（台形歪）が生じる。このため、プロジェクターの傾斜（設置角度）を検出して、この傾斜に起因する台形歪を自動的に補正するプロジェクターが提案されている。特許文献１には、設置角度に変化があった場合に、設置角度に応じて台形歪補正を行うプロジェクターが開示されている。このようなプロジェクターによれば、プロジェクターの操作に不慣れなユーザーであっても、容易に台形歪補正がなされた画像を得ることができる。
【先行技術文献】
【特許文献】
【０００３】
【特許文献１】特開２００３−２８３９６３号公報
【発明の概要】
【発明が解決しようとする課題】
【０００４】
特許文献１のようなプロジェクターの場合、角度検出部の検出結果の変動による画面のちらつきを防止するために、最後に台形歪補正が行われた後、一定以上の角度変化が生じなければ、次の台形歪補正は行われないようになっている。このため、台形歪補正の微調整が必要な場合、カーソルキーなどの手動操作によって調整を行う方法が用いられている。しかしながら、操作に不慣れなユーザーにとっては、手動操作による台形歪補正（以下、手動台形歪補正という）の微調整は複雑で煩雑な操作となっていた。また、誤って手動台形歪補正の操作キーを押してしまった場合、その後の対処方法がわからなくなってしまうという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調して投写面に投写する画像投写手段を備えたプロジェクターであって、前記投写面に投写された投写画像の台形歪を補正するための台形歪補正手段と、前記台形歪を補正するための補正操作キーを有する入力操作手段と、当該プロジェクターの動作を制御する制御手段と、を備え、前記制御手段は、前記台形歪補正手段による台形歪補正が、所定時間行われなかった場合、次に前記入力操作手段により、台形歪補正操作を受け付けたときに、台形歪補正を行うか否かの確認画面を前記画像投写手段により投写することを特徴とする。
【０００７】
本適用例によれば、台形歪補正が所定時間行われなかった場合、次に台形歪補正操作を受け付けた場合に台形歪補正を行うか否かの確認画面を投写する。これにより、台形歪補正操作に不慣れなユーザーでも、簡易に台形歪補正操作の要否を判断することができ、誤って台形歪補正が行われることが防止できる。
【０００８】
［適用例２］上記適用例に記載のプロジェクターにおいて、前記台形歪補正を行うか否かの確認画面に対し、前記台形歪補正を実行する操作を検出した場合に、前記台形歪補正を実行することを特徴とする。
【０００９】
本適用例によれば、台形歪補正が所定時間行われなかった場合において、台形歪補正操作を検出した場合、台形歪補正を実行するか否かを使用者に選択させる。これにより、台形歪補正操作に不慣れなユーザー、または台形歪補正を理解しているユーザーでも、台形歪補正の要否を簡易に選択させることが可能となる。これにより、台形歪補正操作に不慣れなユーザーでも、簡易に台形歪補正操作の要否を判断することができ、誤って台形歪補正が行われることが防止できる。
【００１０】
［適用例３］本適用例に係るプロジェクターの制御方法は、光源から射出された光を画像情報に応じて変調して投写面に投写する画像投写手段と、前記投写面に投写された投写画像の台形歪を補正するための補正操作キーを有する入力操作手段と、を備えたプロジェクターの制御方法であって、前記補正操作キーによる台形歪補正操作を検出する検出ステップと、前記検出ステップにより検出された台形歪補正操作に基づき、台形歪補正を実行する、台形歪補正ステップと、前記台形歪補正ステップによる台形歪補正が、所定時間行われなかった場合、次に前記台形歪補正操作を受け付けたときに、台形歪補正を行うか否かの確認画面を前記画像投写手段により投写する、台形歪補正確認ステップと、を有することを特徴とする。
【００１１】
本適用例によれば、台形歪補正が所定時間行われなかった場合、次に台形歪補正操作を受け付けた場合に台形歪補正を行うか否かの確認画面を投写する。これにより、台形歪補正操作に不慣れなユーザーでも、簡易に台形歪補正操作の要否を判断することができ、誤って台形歪補正が行われることが防止できる。
【図面の簡単な説明】
【００１２】
【図１】プロジェクターの回路構成を示すブロック図。
【図２】液晶ライトバルブを示す正面図。
【図３】プロジェクターの設置角度検出の原理を示す説明図。
【図４】台形歪を説明するための説明図であり、画像データに対して台形歪補正を施していない状態を示す図であり、（ａ）は、液晶ライトバルブを光入射面側から見た正面図、（ｂ）は、プロジェクターが水平に投写を行う様子を示す側面図、（ｃ）は、スクリーンに表示される投写画像を示す正面図、（ｄ）は、プロジェクターを傾けた状態で投写する様子を示す側面図、（ｅ）は、スクリーンに表示される投写画像を示す正面図。
【図５】台形歪補正を説明するための説明図であり、（ａ）は、液晶ライトバルブを光入射面側から見た正面図、（ｂ）は、傾斜投写を行う場合にスクリーンに表示される投写画像を示す正面図。
【図６】台形歪補正を実行するか否かを確認するために投写される確認画面。
【図７】プロジェクターの動作を示すフローチャートであり、（ａ）は電源オン時の動作、（ｂ）はタイマーが所定時間を経過したときの動作、（ｃ）は角度検出手段が所定値以上の角度変化を検出したときの動作、（ｄ）は入力操作手段が台形歪補正操作を受けつけたときの動作、をそれぞれ示すフローチャート。
【発明を実施するための形態】
【００１３】
以下、図面を参照して本発明の一実施形態について説明する。なお、以下の実施形態は特許請求の範囲にかかる発明を限定するものではなく、また、実施形態における特徴の組み合わせの全てが発明の解決手段に必須であるとは限らない。
【００１４】
（第１実施形態）
図１は、本実施形態のプロジェクター１の回路構成を示すブロック図である。
図１に示すように、プロジェクター１は、画像投写手段１０、制御手段２０、記憶手段２１、光源制御手段２５、入力操作手段２３、画像信号入力手段１８、画像信号処理手段１７、ＯＳＤ処理手段１６、台形歪補正手段１５、角度検出手段１９、電源端子３０、電源部３１等で構成されており、これらは図示しない筐体内部に収容されている。
【００１５】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調し、投写レンズ１３から投写することによってスクリーンＳＣ等に画像を表示する。
【００１６】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００１７】
図２は、液晶ライトバルブ１２Ｒ、１２Ｇ、１２Ｂを示す正面図である。液晶ライトバルブ１２、１２Ｇ、１２Ｂは、一対の透明基板間に液晶が封入された液晶パネル等によって構成される。図２に示すように、液晶ライトバルブ１２Ｒ、１２Ｇ、１２Ｂの透明基板は、矩形の領域（画素領域１２ａ）内に、液晶に対して微小領域（画素１２ｐ）毎に駆動電圧を印加可能な透明電極（画素電極）が、マトリックス状に形成されている。
【００１８】
液晶駆動手段１４が、入力される画像情報に応じた駆動電圧を各画素１２ｐに印加すると、各画素１２ｐは、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素１２ｐ毎に合成されてカラーの画像光となった後、投写レンズ１３によってスクリーンＳＣ等に拡大投写される。
【００１９】
本実施形態では、光源として光源ランプ１１ａを用いて投写するプロジェクター１を例示したが、本発明は、光源としてＬＥＤ（Light Emitting Diode）光源やレーザー光源などを用いて投写するプロジェクターにも適用することができる。
【００２０】
なお、本実施形態では、画像投写手段１０は、光源１１、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２１】
図１に戻り、制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。また、制御手段２０は時間を計時するタイマー２０ａを備える。
【００２２】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では記憶手段２１は、台形歪補正確認フラグ２１ａを保存する。台形歪補正確認フラグ２１ａがセットされている状態において、台形歪補正操作を受け付けた場合、台形歪補正を実行するか否かの確認画面を投写する。
【００２３】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー、台形歪を補正するための補正操作キーとしての台形歪補正キー等がある。
【００２４】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信手段がこれを受信して制御情報として制御手段２０に伝達する。
【００２５】
角度検出手段１９は、加速度センサー１９ａ等を有して構成され、制御手段２０の指示に基づいて、プロジェクター１の設置角度を検出する。そして、検出した設置角度を制御手段２０に通知する。
【００２６】
ここで、プロジェクター１の設置角度を検出する方法について説明する。図３は、プロジェクター１の設置角度検出の原理を示す説明図である。本図は、プロジェクター１とその設置面Ｈ、およびスクリーンＳＣを投写方向の右側側面から表した図である。設置面Ｈは水平であるものとする。本実施形態ではプロジェクター１の設置角度の検出に、加速度センサー１９ａを用いる。加速度センサー１９ａは、プロジェクター１内部に実装されており、図３の一点鎖線上の図中左側方向（プロジェクター１後方）に働く加速度を検出する。
【００２７】
図３に示すように、プロジェクター１を設置角度θ傾斜して設置すると、図示するように、一点鎖線上の加速度成分は、ｇ・ｓｉｎθとなる。加速度センサー１９ａは、この加速度成分に応じた電圧を出力する。これにより、角度検出手段１９は、加速度センサー１９ａから出力された電圧値に基づいてプロジェクター１の設置角度を検出することができる。
なお、本実施形態では、加速度センサー１９ａを用いるものとしたが、プロジェクター１の設置角度を検出できる機構であれば、加速度センサー１９ａに限定するものではない。
【００２８】
図１に戻り、光源制御手段２５は、制御手段２０の指示に基づいて、光源１１に対する電力の供給と停止とを制御し、光源１１の点灯、及び消灯を切り替える。
【００２９】
画像信号入力手段１８は、上述したように複数の画像入力端子を備えており、各画像入力端子より、ビデオ再生装置やパーソナルコンピューター等、外部機器から、図示しないケーブルを介して画像信号（画像情報ともいう）が入力される。
【００３０】
画像信号処理手段１７は、画像信号入力手段１８から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３１】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３２】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、台形歪補正手段１５に出力される。
なお、制御手段２０からＯＳＤ画像を重畳する旨の指示がない場合には、ＯＳＤ処理手段１６は、画像信号処理手段１７から入力される画像情報を、そのまま台形歪補正手段１５に出力する。
【００３３】
台形歪補正手段１５は、スクリーンＳＣに対してプロジェクター１を傾けた状態で画像を投写する場合に、投写画像が傾斜方向に拡大してしまう歪（台形歪）を抑制するために、入力される画像情報としての画像データの補正（台形歪補正）を行う。入力操作手段２３から入力される台形歪補正指示の情報や、角度検出手段１９が検出したプロジェクター１の設置角度の情報に基づいて、制御手段２０は、台形歪補正手段１５に対して台形歪補正の実施を指示し、台形歪補正手段１５は台形歪補正を実施する。
【００３４】
台形歪補正とは、画像データから画素値の間引きを行って、傾斜方向に向かうほど投写画像を縮小させるものであり、台形歪補正手段１５は、補正後の画像データを液晶駆動手段１４に出力する。なお、台形歪補正を行わない場合には、ＯＳＤ処理手段１６から出力される画像データが、そのまま液晶駆動手段１４に出力される。液晶駆動手段１４が、入力される画像データ、即ち画素１２ｐ毎の画素値に従って液晶ライトバルブ１２Ｒ、１２Ｇ、１２Ｂを駆動すると、画像データに応じた画像がスクリーンＳＣに投写される。
【００３５】
次に、台形歪補正手段１５による台形歪補正について、図４、および図５を用いて説明する。
図４は、台形歪を説明するための説明図であり、画像データに対して台形歪補正を施していない状態を示す図である。ここで、図４（ａ）は、液晶ライトバルブ１２Ｒ、１２Ｇ、１２Ｂを光入射面側から見た正面図、図４（ｂ）は、プロジェクター１が水平に投写を行う様子を示す側面図、図４（ｃ）は、そのときにスクリーンＳＣに表示される投写画像を示す正面図である。また、図４（ｄ）は、プロジェクター１を傾けた状態で投写する様子を示す側面図であり、図４（ｅ）は、そのときにスクリーンＳＣに表示される投写画像を示す正面図である。
【００３６】
なお、図４において、液晶ライトバルブ１２Ｒ、１２Ｇ、１２Ｂに向かって左右方向（水平方向の左右）を±ｘ方向、上下方向（垂直方向の上下）を±ｙ方向とし、スクリーンＳＣに向かって左右方向（水平方向の左右）を±Ｘ方向、上下方向（垂直方向の上下）を±Ｙ方向とする。ここで、スクリーンＳＣのＸ方向及びＹ方向は、それぞれ液晶ライトバルブ１２のｘ方向、及びｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
【００３７】
また、図４、および図５において、画素領域１２ａや投写画像Ｇａ内に示した格子状の模様は、画素領域１２ａに形成された画像と、スクリーンＳＣに投写された投写画像Ｇａとの対応を示すために補助的に付加した線であり、実際にこのような模様を表示することを意味するものではない。
【００３８】
図４（ａ）に示すように、台形歪補正を行わない場合には、液晶ライトバルブ１２Ｒ、１２Ｇ、１２Ｂは、台形歪補正手段１５から入力される画像データに基づいた画像（入力画像Ｇｉ）を画素領域１２ａの全体で形成する。つまり、この場合には、入力画像Ｇｉを形成するための領域（画像形成領域１２ｉ）は、画素領域１２ａと一致する。ここで、図４（ｂ）、（ｃ）に示すように、プロジェクター１が水平に設置され、スクリーンＳＣに対して傾きのない投写を行う場合には、スクリーンＳＣに表示される投写画像Ｇａ（入力画像Ｇｉ）は、画素領域１２ａと同じ矩形状となる。
【００３９】
一方、図４（ｄ）、（ｅ）に示すように、プロジェクター１をスクリーンＳＣに対して傾けて設置し、上方（＋Ｙ方向）に向けて投写を行う場合には、スクリーンＳＣに表示される投写画像Ｇａは、傾斜方向（＋Ｙ方向）に向かうほど、±Ｘ方向及び＋Ｙ方向に拡大されて台形状に歪む。本実施形態では、このように＋Ｙ方向（垂直方向）の傾斜投写を行った場合の台形歪補正について記載する。
【００４０】
図５は、台形歪補正を説明するための説明図であり、図５（ａ）は、液晶ライトバルブ１２Ｒ、１２Ｇ、１２Ｂを光入射面側から見た正面図、図５（ｂ）は、傾斜投写を行う場合にスクリーンＳＣに表示される投写画像を示す正面図である。
【００４１】
台形歪補正手段１５は、ＯＳＤ処理手段１６から入力される画像データから画素値の間引きを行い、補正を行わない場合に比べて、投写画像Ｇａが傾斜方向（＋Ｙ方向）に向かうほど縮小するような補正を施す。
【００４２】
具体的には、図５（ａ）に示すように、液晶ライトバルブ１２Ｒ、１２Ｇ、１２Ｂの画素領域１２ａに、補正を行わない投写画像Ｇａと反対向きの台形形状、即ち傾斜方向（＋ｙ方向）に向かうほど横幅が縮小する形状の画像形成領域１２ｉを設定する。さらに、画像データから、あおり投写による拡大の程度が高い位置ほど多くの画素値を間引くことにより、この画像形成領域１２ｉ内に入力画像Ｇｉを形成する。
また、台形歪補正手段１５は、画像形成領域１２ｉの外側の領域（画像形成外領域）１２ｎに含まれる各画素１２ｐの光透過率が最小となるように画像データを補正する。
【００４３】
この結果、図５（ｂ）に示すように、傾斜投写による入力画像Ｇｉのゆがみが補正されるとともに、画像形成外領域１２ｎに対応する投写画像Ｇａ内の領域Ｇｎには光がほとんど照射されないことから、入力画像Ｇｉは、歪みの無い形状（矩形状）でスクリーンＳＣに表示される。
なお、画素値の間引きに伴う階調情報の欠落を補うために、間引きの対象となる画素に近接する画素の画素値を、間引かれる画素値に応じて補正することが望ましい。
【００４４】
図１に戻り、電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４５】
次に、本実施形態のプロジェクター１の動作を図７のフローチャートを用いて説明する。
〔電源オン時の動作〕
図７（ａ）はプロジェクター１が電源オン操作を検出したときの動作を示すフローチャートである。
図７（ａ）に示すように、プロジェクター１が入力操作手段２３の電源キー操作などによる電源オン操作を検出すると（ステップＳ１０１）、制御手段２０は、光源制御手段２５により、光源１１を点灯させ（ステップＳ１０２）、ステップＳ１０３に遷移する。
【００４６】
ステップＳ１０３において、制御手段２０は、角度検出手段１９が検出した設置角度に基づく台形歪補正（自動台形歪補正）を実行し、ステップＳ１０４に遷移する。
【００４７】
ステップＳ１０４において、制御手段２０は、台形歪補正確認フラグ２１ａをクリアし、ステップＳ１０５に遷移する。
【００４８】
ステップＳ１０５において、制御手段２０は、タイマー２０ａをリセットした上で計時をスタートし、ステップＳ１０６に遷移する。
【００４９】
ステップＳ１０６において、プロジェクター１は画像投写を開始し、本フローを終了する。
【００５０】
〔タイマーが所定時間を経過したときの動作〕
図７（ｂ）はプロジェクター１が動作中に、タイマー２０ａによる計時が所定時間を経過したときの動作を示すフローチャートである。
図７（ｂ）に示すように、プロジェクター１が動作中に、タイマー２０ａによる計時が所定時間である時間Ｔ１（例えば３０秒）を経過すると（ステップＳ２０１）、制御手段２０はタイマー２０ａによる計時を停止させ終了し、台形歪補正確認フラグ２１ａをセットする（ステップＳ２０２）。以上で本フローを終了する（ステップＳ２０３）。
【００５１】
〔角度検出手段が所定値以上の角度変化を検出したときの動作〕
図７（ｃ）はプロジェクター１が動作中に、角度検出手段１９が所定値以上の角度変化を検出したときの動作を示すフローチャートである。
図７（ｃ）に示すように、プロジェクター１が動作中に、角度検出手段１９が所定値以上の角度変化を検出すると（ステップＳ３０１）、制御手段２０は、角度検出手段１９が検出した設置角度に基づく台形歪補正（自動台形歪補正）を実行し（ステップＳ３０２）、ステップＳ３０３に遷移する。
【００５２】
ステップＳ３０３において、制御手段２０は、台形歪補正確認フラグ２１ａをクリアし、ステップＳ３０４に遷移する。
【００５３】
ステップＳ３０４において、制御手段２０は、タイマー２０ａをリセットした上で計時をスタートし、ステップＳ３０５に遷移する。
【００５４】
ステップＳ３０５において、本フローを終了する。
【００５５】
〔入力操作手段が台形歪補正操作を受けつけたときの動作〕
図７（ｄ）はプロジェクター１が動作中に、入力操作手段２３が台形歪補正操作を受けつけたときの動作を示すフローチャートである。
図７（ｄ）に示すように、プロジェクター１が動作中に、入力操作手段２３の台形歪補正キー（補正操作キー）による台形歪補正操作を検出すると（ステップＳ４０１：検出ステップ）、ステップＳ４０２に遷移する。
【００５６】
ステップＳ４０２において、制御手段２０は、台形歪補正確認フラグ２１ａがセットされているか否かを調べる（ステップＳ４０２）。台形歪補正確認フラグ２１ａがセットされている場合（ステップＳ４０２：Ｙ）、ステップＳ４０３に遷移する。
台形歪補正確認フラグ２１ａがセットされていない（クリアされている）場合（ステップＳ４０２：Ｎ）、ステップＳ４０６に遷移する。
【００５７】
ステップＳ４０３において、制御手段２０は、台形歪補正を実行する（行う）か否かの確認画面Ｍ１を画像投写手段１０により、投写し（台形歪補正確認ステップ）、ステップＳ４０４に遷移する。このときの確認画面Ｍ１を図６に示す。
【００５８】
ステップＳ４０４において、制御手段２０は、ステップＳ４０３の確認画面Ｍ１に対する応答を調べる。台形歪補正を実行する確認操作を受け付けた場合（ステップＳ４０４：Ｙ）、ステップＳ４０５に遷移する。台形歪補正を実行しない操作を受け付けた場合（ステップＳ４０４：Ｎ）、ステップＳ４０８に遷移する。
【００５９】
ステップＳ４０５において制御手段２０は、台形歪補正確認フラグ２１ａをクリアし、ステップＳ４０６に遷移する。
【００６０】
ステップＳ４０６において、制御手段２０は、ステップＳ４０１において検出された台形歪補正操作に基づく台形歪補正を実行し（台形歪補正ステップ）、ステップＳ４０７に遷移する。
【００６１】
ステップＳ４０７において、制御手段２０は、タイマー２０ａをリセットした上で計時をスタートし、ステップＳ４０８に遷移する。
【００６２】
ステップＳ４０８において、本フローを終了する。
【００６３】
以上説明したように、本実施形態のプロジェクター１によれば台形歪補正が所定時間（時間Ｔ１）行われなかった場合、次に入力操作手段２３による台形歪補正操作を受け付けた場合に台形歪補正を行うか否かの確認画面Ｍ１を投写する。これにより、台形歪補正操作に不慣れなユーザーでも、簡易に台形歪補正操作の要否を判断することができ、誤って台形歪補正が行われることが防止できる。
また、台形歪補正が所定時間行われなかった場合において、台形歪補正操作を検出した場合、台形歪補正を実行するか否かを使用者に選択させる。これにより、台形歪補正操作に不慣れなユーザーまたは、台形歪補正を理解しているユーザーの如何に係らず、台形歪補正の要否を簡易に選択させることが可能となる。
【００６４】
また、上記実施形態は、以下のように変更してもよい。
（変形例１）
上述した実施形態ではプロジェクター１を垂直方向（＋Ｙ方向）に傾けて設置して台形歪補正を実行するものとしたが、他の方向（−Ｙ方向、±Ｘ方向（水平方向））に傾けて設置して台形歪補正を行うものとしてもよい。−Ｙ方向に傾ける場合については、上記実施形態と同様に、加速度センサー１９ａを使用して設置角度を検出して台形歪補正を実行することができる。
【符号の説明】
【００６５】
１…プロジェクター、１０…画像投写手段、１１…光源、１２Ｒ，１２Ｇ，１２Ｂ…液晶ライトバルブ、１３…投写レンズ、１４…液晶駆動手段、１５…台形歪補正手段、１６…ＯＳＤ処理手段、１７…画像信号処理手段、１８…画像信号入力手段、１９…角度検出手段、１９ａ…加速度センサー、２０…制御手段、２０ａ…タイマー、２１…記憶手段、２１a…台形歪補正確認フラグ、２３…入力操作手段、２５…光源制御手段、３０…電源端子、３１…電源部。
【図１】
2013005251.tif 000003
【図２】
2013005251.tif 000004
【図３】
2013005251.tif 000005
【図４】
2013005251.tif 000006
【図５】
2013005251.tif 000007
【図６】
2013005251.tif 000008
【図７】
2013005251.tif 000009